(57)【要約】シングルチャネル超音波検査ユニットでの超音波試験ためのシステムおよび方法を提供する。検査対象物の超音波点検のためのデバイスおよび方法が開示される。複数の超音波トランスデューサエレメントおよび電気パルサ回路は電気パルスを生成し、および送信するために設けられる。デバイスはシングルチャネル超音波試験ユニットと通信するように構成されたインターフェースを有する。【選択図】図１
2015520857.tif 000002
【特許請求の範囲】
【請求項１】
超音波プローブ（２０２）であって、
複数の超音波トランスデューサエレメントと、
電気パルスを生成しおよび前記超音波トランスデューサエレメントに送信するための複数の電気パルサ回路（２０８）と、
前記複数の電気パルサ回路（２０８）を制御する第１のマイクロプロセッサ（２１６）と、
シングルチャネル超音波試験ユニット（１０２）と通信するように構成される第１のインターフェース（２１８）と、
を備える超音波プローブ（２０２）。
【請求項２】
前記超音波プローブ（２０２）はフェーズドアレイ超音波プローブである請求項１に記載の超音波プローブ（２０２）。
【請求項３】
前記第１のインターフェース（２１８）はシングルチャネルアナログ信号を送信するようにさらに構成される請求項１に記載の超音波プローブ（２０２）。
【請求項４】
前記第１のマイクロプロセッサ（２１６）は前記シングルチャネル超音波試験ユニット（１０２）に関連付けられた第２のマイクロプロセッサ（１０８）と通信するように構成される請求項１に記載の超音波プローブ（２０２）。
【請求項５】
前記第１のマイクロプロセッサ（２１６）は前記第２のマイクロプロセッサ（１０８）と同期信号または制御信号の少なくとも１つを通信するようさらに構成される請求項４に記載の超音波プローブ（２０２）。
【請求項６】
前記第１のインターフェース（２１８）を前記シングルチャネル超音波試験ユニット（１０２）に接続するためのプローブケーブルをさらに備える請求項１に記載の超音波プローブ（２０２）。
【請求項７】
前記プローブケーブルはシングルチャネルアナログ信号および同期信号、制御信号、または電源の少なくとも１つを伝送するように構成された電気コンジットを備える請求項６に記載の超音波プローブ（２０２）。
【請求項８】
超音波点検の方法であって、
同期信号を受信するステップと、
前記同期信号に応答して複数の電気パルサ回路（２０８）を制御するステップと、
検査対象物内において、前記複数の電気パルサ回路（２０８）のそれぞれに応答する第１の超音波音響波を生成するステップであって、前記第１の超音波音響波は第１の角度に対応する、生成するステップと
前記検査対象物から反射される第１の超音波音響波を受信するステップと、
前記受信された第１の超音波音響波を表す、第１のシングルチャネルアナログ信号を送信するステップであって、前記第１のシングルチャネルアナログ信号はシングルチャネル超音波試験ユニット（１０２）により受信されるように構成される、送信するステップと、
を備える方法。
【請求項９】
第２の同期信号を受信するステップと、
前記第２の同期信号に応答して前記複数の電気パルサ回路（２０８）を制御するステップと、
前記検査対象物内において、第２の超音波音響波を生成するステップであって、前記第２の超音波音響波は前記第１の角度とは異なる第２の角度に対応する、生成するステップと、
をさらに備える請求項８に記載の方法。
【請求項１０】
前記検査対象物から反射される第２の超音波音響波を受信するステップと、
前記受信された第２の超音波音響波を表す、第２のシングルチャネルアナログ信号を送信するステップであって、前記第２のシングルチャネルアナログ信号は前記シングルチャネル超音波試験ユニット（１０２）により受信されるように構成される、送信するステップと、
をさらに備える請求項９に記載の方法。
【請求項１１】
セクタスキャン画像を形成するために前記第１および第２のシングルチャネルアナログ信号をコンパイルするステップをさらに備える請求項１０に記載の方法。
【請求項１２】
前記セクタスキャン画像をディスプレイ（１１２）上に表示するステップをさらに備える請求項１１に記載の方法。
【請求項１３】
超音波音響波が異なる角度から順次受信されるのと合わせて前記セクタスキャン画像を連続的に更新するステップをさらに備える請求項１１に記載の方法。
【請求項１４】
実行時に、回路に方法を実行させるためのロジックを格納する非一時的媒体であって、前記方法は
同期信号を受信するステップと、
前記同期信号に応答して複数の電気パルサ回路（２０８）を制御するステップと、
検査対象物内において、前記複数の電気パルサ回路（２０８）のそれぞれに応答して超音波音響波を生成するステップと、
前記検査対象物から反射された超音波音響波を受信するステップと、
前記受信された超音波音響波を表す、シングルチャネルアナログ信号を送信するステップであって、前記シングルチャネルアナログ信号はシングルチャネル超音波試験ユニット（１０２）により受信されるように構成される、送信するステップと、
を備える、非一時的媒体。
【発明の詳細な説明】
【技術分野】
【０００１】
本明細書で開示される主題は超音波試験に、そしてより詳しくは、シングルチャネル超音波検査ユニットでの超音波試験のための方法およびシステムに関する。
【背景技術】
【０００２】
非破壊試験デバイスは対象物内の異常を検出および分析するため検査対象物を点検するために使用することができる。非破壊試験は点検技術員が下地構造の試験を行うために検査対象物の表面上でプローブを操作することを可能にする。非破壊試験は、検査対象物の点検を周囲構造から取り外しすることなく行われなければならない箇所、および別な方法では目視点検を通して識別可能ではない隠れた異常が位置することがあり得る箇所で、いくつかの産業、例えば航空宇宙、発電、石油およびガスの輸送または精製に特に有用であり得る。非破壊試験の１つの方法は超音波によるものである。
【０００３】
一般に、超音波試験システムは検査対象物へおよびからの超音波音響波を送受信する超音波プローブ、およびテスト結果を表示するためのディスプレイを含む超音波検査ユニットに超音波プローブを接続するためのプローブケーブルを含む。超音波検査ユニットはまた電源コンポーネント、信号発生回路、増幅および処理電子機器、および点検のため装置を調整するために使用されるデバイス制御を含むことができる。超音波試験システムでは、超音波プローブ内の１つ以上の超音波トランスデューサ（例えば、圧電素子）により音響パルスに変換される所で電気パルスは超音波検査ユニットから超音波プローブに供給される。動作中には、電気パルスは１つ以上の超音波トランスデューサの電極に印加され、このようにプローブが結合される検査対象物に伝達される超音波音響波を発生させる。逆に、超音波音響波が検査対象物から反射されおよび超音波トランスデューサの表面と接触する際には、トランスデューサを超音波検査ユニットによる受信信号として検出される電圧を発生するように振動させる。超音波音響波が検査対象物を通過するので、エコーと呼ばれる様々な反射が超音波音響波が検査対象物内および検査対象物の内面（後壁）の異常と相互作用するように発生する。
【０００４】
シングルエレメントプローブで試験する際には、エコー信号はトレースに沿った水平位置として表示される飛行または距離情報のトレースおよび時間の垂直偏向として現れるエコー振幅のＡスキャントレースとしてシングルチャネル超音波検査ユニットの画面上に通常は表示される。例えば、溶接部の点検時に、エコーがジオメトリエコー以外に識別される場合、そのエコーは溶接部内の異常の存在を示す場合がある。このシングルチャネルプローブは多くの場合検査対象物の異なる領域を点検する角度（例えば、３０から７０度）に音波を指向するようにウェッジに取り付けられる。対象物の完全な容積を点検するためには、対象物を異なる角度（ウェッジ）を使用して複数回スキャンする必要があり得る。いくつかの異なる角度で検査対象物を点検することは時間がかかることであり得る。
【０００５】
フェーズドアレイ超音波プローブは単一のハウジング内に取り付けられた電気的および音響的に独立した複数の超音波トランスデューサを有する。超音波トランスデューサに印加される電気パルスのタイミングを変化させることにより、フェーズドアレイ超音波プローブは異なる角度で超音波ビームを生成することができ、フェーズドアレイ超音波プローブに異常を検出させようとして検査対象物を通して異なる角度（例えば、３０から７０度で１度ずつ増分）で超音波ビームを操作することを可能にする。様々な角度で受信された超音波は検査対象物のセクタスキャン画像を生成するために処理することができ、任意の異常を視覚的に識別できるようにする。フェーズドアレイ超音波プローブはセクタスキャン画像を生成するために必要なデータを生成し、シングルエレメントプローブで検査対象物を異なるウェッジで複数回再スキャンする必要をなくすことができるが、フェーズドアレイ超音波試験ユニットはシングルチャネル超音波試験ユニットよりもかなり高価である。また、数十の個別エレメントを含むフェーズドアレイ超音波プローブにとっては、フェーズドアレイ超音波試験ユニットからフェーズドアレイプローブへのプローブケーブルは非常に密集しており操作が困難であり得る。
【０００６】
上記の議論は単に一般的な背景情報のために提供され、請求される主題の範囲を決定する助けとして使用されるものではない。
【先行技術文献】
【特許文献】
【０００７】
【特許文献１】米国特許第４４６４７３９号明細書
【発明の概要】
【０００８】
検査対象物の超音波点検のためのデバイスおよび方法が開示される。電気パルスを生成しおよび送信するために複数の超音波トランスデューサエレメントおよび電気パルサ回路が設けられる。デバイスはシングルチャネル超音波試験ユニットと通信するように構成されたインターフェースを有する。
【０００９】
例示的な一実施形態では、超音波プローブが開示される。超音波プローブは複数の超音波トランスデューサエレメント、および電気パルスを生成し超音波トランスデューサエレメントに送信するための複数の電気パルサ回路を備える。マイクロプロセッサは複数の電気パルサ回路を制御するために設けられる。インターフェースはシングルチャネル超音波試験ユニットと通信するように構成される。
【００１０】
別の例示的な実施形態では、超音波点検のための方法が開示される。方法は同期信号を受信すること、および同期信号に応答して複数の電気パルサ回路を制御することを備える。超音波音響波は複数の電気パルサ回路のそれぞれに応答して検査対象物内に生成され、超音波音響波は第１の角度に対応する。反射された超音波音響波は検査対象物から受信され、受信された超音波音響波を表すシングルチャネルアナログ信号に送信され、シングルチャネルアナログ信号はシングルチャネル超音波試験ユニットにより受信されるように構成される。
【００１１】
第３の実施形態では、実行時に回路に方法を実行させるためのロジックを格納する非一時的媒体が開示される。方法は少なくとも１つ同期信号を受信すること、および同期信号に応答して複数の電気パルサ回路を制御することを備える。超音波音響波は複数の電気パルサ回路のそれぞれに応答して検査対象物内に生成される。反射された超音波音響波は検査対象物から受信され、受信された超音波音響波を表すシングルチャネルアナログ信号に送信され、シングルチャネルアナログ信号はシングルチャネル超音波試験ユニットにより受信されるように構成される。
【００１２】
本発明のこの簡単な説明は１つ以上の例示的な実施形態による本明細書に開示される主題の概要を提供することのみを意図しており、特許請求の範囲を解釈するガイドとして機能しないまたは添付の特許請求の範囲によってのみ定義される本発明の範囲を定義するまたは制限するものではない。この簡単な説明は以下の詳細な説明でさらに説明される簡略化された形式の概念の例示的な選択を紹介するために提供される。この簡単な説明は特許請求される主題の主要な特徴または本質的な特徴を特定するものではなく、特許請求される主題の範囲を決定する助けとして使用されるものでもないことを意図している。特許請求される主題は背景技術で述べたいずれかまたはすべての欠点を解決するための実装に限定されるものではない。
【００１３】
本発明の特徴である方法を理解できるようにするために、本発明の詳細な説明は添付のいくつかの図面に示されている特定の実施形態を参照することにより得られてもよい。しかしながら、図面は本発明の特定の実施形態のみを図示し、したがって本発明の範囲は他の等しく有効な実施形態を包含するため、その範囲を限定するものとみなされるべきではないことに留意すべきである。図面は必ずしも一定の縮尺にする、一般に本発明の特定の実施形態の特徴を例説することに重きを置くことを強調してはいない。図面において、同様の番号は様々な図を通して同様の部品を示すために使用される。このように、本発明のさらなる理解のために、図面に関連して読まれる以下の詳細な説明に対して参照を行うことができる。
【図面の簡単な説明】
【００１４】
【図１】検査対象物を点検するための例示的な超音波試験システムの概略図である。
【図２】超音波インタロゲーション方法の一例を示すフロー図である。
【発明を実施するための形態】
【００１５】
図１は検査対象物を点検するための超音波試験システム１００を示す。システム１００は超音波プローブ２０２に接続されたシングルチャネル超音波試験ユニット１０２を備える。シングルチャネル超音波試験ユニット１０２は超音波プローブ２０２のビーム成形器２０４（または合計器）からシングルチャネルアナログ信号を受信する受信機１０４を備える。アナログ−デジタルコンバータ１０６はまたシングルチャネルアナログ信号をデジタル信号に変換するために設けられる。シングルチャネル超音波試験ユニット１０２はデジタル信号を処理する第２のマイクロプロセッサ１０８を有する。
【００１６】
超音波プローブ２０２は複数の超音波トランスデューサ２０６、超音波トランスデューサ２０６を駆動するために使用される電気パルスを生成するために使用される複数の電気パルサ回路２０８、超音波トランスデューサ２０６から受信される電気信号を受信するおよび増幅するための複数の増幅器２１０、複数の電気パルサ回路２０８に接続される複数の送信ディレイ２１２、および複数の増幅器２１０に接続される複数の受信ディレイ２１４を備える。超音波プローブ２０２は様々な角度から検査対象物を調べて反射した超音波音響波のそれぞれに関連するデータをシングルチャネル超音波試験ユニット１０２に順次中継するように構成される。超音波プローブ２０２はまた複数の受信ディレイ２１４に接続されるビーム成形器２０４も含む。超音波プローブ２０２は、汎用プロセッサまたはフィールドプログラマブルゲートアレイ（ＦＰＧＡ）または特定用途向け集積回路（ＡＳＩＣ）、またはそれらの組み合わせのようなデジタルロジックを含んでもよいがこれらに限定されない、第１のマイクロプロセッサ２１６を有する。第１のマイクロプロセッサ２１６は複数の電気パルサ回路２０８、複数の送信ディレイ２１２、複数の増幅器２１０、および複数の受信ディレイ２１４を制御する。一実施形態では、超音波プローブ２０２はフェーズドアレイ超音波プローブである。
【００１７】
超音波プローブ２０２は超音波プローブ２０２が各角度に対する各信号に関連する送信データをシングルチャネル超音波試験ユニット１０２に順次送信することを可能にする第１のインターフェース２１８を含む。技術的効果は複数の超音波トランスデューサとともに超音波プローブを使用する非破壊試験が可能になるファームウェアを搭載した比較的安価なシングルチャネル超音波試験ユニットをインストールするまたは改造することができることである。図２を参照すると、例示的な方法４００のステップ４０２で、第１のマイクロプロセッサ２１６は第１の同期信号を第２のマイクロプロセッサ１０８から受信する。ステップ４０４で、第１の同期信号は第１の角度から検査対象物を調べるために電気パルサ回路２０８を制御する。制御信号は超音波プローブ２０２の第１のマイクロプロセッサ２１６から送信ディレイ２１２に送信され、ステップ４０６で第１の超音波音響波を生成することにより複数の超音波トランスデューサ２０６に第１の角度から検査対象物を調べさせる。ステップ４０８で、放射された超音波音響波が検査対象物と相互作用する際に反射した超音波音響波が受信される。反射した超音波信号は超音波トランスデューサ２０６により電気信号に変換され、増幅器２１０により増幅され、受信ディレイ２１４により遅延され、およびビーム成形器２０４に送信される。ビーム成形器２０４からのシングルチャネルアナログ信号出力はシングル信号コンジット３００を渡ってシングルチャネル超音波試験ユニット１０２に送信され（ステップ４１０）、および受信機１０４により受信される。一実施形態では、受信機１０４はシングルチャネルアナログ信号を増幅する増幅器を含む。アナログ−デジタルコンバータ１０６はシングルチャネルアナログ信号を受信機１０４から受信し、およびアナログ信号をデジタル信号に変換する。シングルチャネル超音波試験ユニット１０２の第２のマイクロプロセッサ１０８は、例えば第１の角度のためのアナログ信号に対応するデータを含むデジタル信号を受信する。
【００１８】
ステップ４１２で、シングルチャネル超音波試験ユニット１０２の第２のマイクロプロセッサ１０８は第２の同期信号を超音波プローブ２０２の第１のマイクロプロセッサ２１６に返送し、次の角度に進めるために超音波プローブ２０２に通知する。第２の同期信号を受信すると、第１のマイクロプロセッサ２１６は複数の電気パルサ回路２０８が検査対象物を次の（第２の）角度で調べるように制御するために第２の制御信号を使用する。新たに取得したデータはシングル信号コンジット３００に沿ってシングルチャネル超音波試験ユニット１０２の第２のマイクロプロセッサ１０８に送信される。シングル信号コンジット３００は測定されているすべての角度のためのシングルチャネルアナログ信号を送信するために使用される。多数の超音波トランスデューサが使用されるこれらの実施形態では、このシングルコンジットアプローチは非常に効率的な方法でシングル信号コンジット３００を利用し、それにより必要とされるライン（またはワイヤ）の総数を減少させる。各角度に対する各信号に関連するデータは、シングルチャネル超音波試験ユニット１０２の第２のマイクロプロセッサ１０８がセクタスキャン画像を生成しおよび表示するために各角度に対する各信号からのデータをコンパイルする所で超音波プローブ２０２からシングルチャネル超音波試験ユニット１０２に順次送信される。第２の角度からのデータが生成されおよび処理されている間に、第１の角度からのデータはメモリに格納されてもよい。セクタスキャン画像は各角度に対する各信号のためのデータがシングルチャネル超音波試験ユニット１０２の第２のマイクロプロセッサ１０８に到着するのと合わせて連続的に更新される。既存のシングルチャネル超音波試験ユニット１０２は、第２のマイクロプロセッサ１０８がセクタスキャン画像を生成しおよび表示するために各角度に対する各信号からのデータをコンパイルすることを可能にするためにソフトウェアアップグレードで改修することができる。
【００１９】
一実施形態では、シングルチャネル超音波試験ユニット１０２の第２のマイクロプロセッサ１０８および超音波プローブ２０２の第１のマイクロプロセッサ２１６は専用の同期コンジット３０２を渡って現在選択されている角度に関して同期する。別の実施形態では、同期はシングル信号コンジット３００を渡って発生する。特定の実施形態では、通信コンジット３０４は、シングルチャネル超音波試験ユニット１０２の第２のマイクロプロセッサ１０８および超音波プローブ２０２の第１のマイクロプロセッサ２１６との間に設けられる。通信コンジット３０４は２つのマイクロプロセッサ１０８、２１６の間に制御信号を送信するための追加の経路を提供する。適切な通信コンジットの例としてはユニバーサルシリアルバス（ＵＳＢ）およびＲＳ２３２接続を含む。電力コンジット３０６が設けられてもよい。一実施形態では、超音波プローブ２０２およびシングルチャネル超音波試験ユニット１０２を接続するコンジットはシングルプローブケーブル３０８にバンドルされる。
【００２０】
シングルチャネル超音波試験ユニット１０２はユーザインターフェース１１０をさらに含んでもよい。適切なユーザインターフェースの例としてはキーボード、マウスコントローラ、タッチスクリーンなどを含む。ディスプレイ１１２はまた超音波インタロゲーションに起因するセクタスキャン画像をグラフィカルに図解するために提供されてもよい。ディスプレイ１１２は画面または他のグラフィック表示を含んでもよい。いくつかの実施形態では、ユーザインターフェース１１０およびディスプレイ１１２はシングルチャネル超音波試験ユニット１０２と一体であってもよい。代替的に、ユーザインターフェース１１０およびディスプレイ１１２は別個のエレメントであってもよい。さらに別の実施形態では、他のコンポーネントは分離可能である一方そのようなコンポーネントは一体である。
【００２１】
当業者により理解されるであろうように、本発明の態様はシステム、方法、またはコンピュータプログラム製品として具現化されてもよい。依って、本発明の態様は、本明細書において「サービス」、「回路」、「回路構成」、「モジュール」および／または「システム」とすべて一般的に呼ばれてもよい、完全にハードウェアの実施形態、完全にソフトウェアの実施形態（ファームウェア、常駐ソフトウェア、マイクロコードなどを含む）、またはソフトウェアおよびハードウェアの態様を組み合わせた実施形態の形態を取ってもよい。さらに、本発明の態様はその上に具現化されたコンピュータ読み取り可能なプログラムコードを有する１つ以上のコンピュータ読み取り可能な媒体内に具現化されたコンピュータプログラム製品の形態を取ってもよい。
【００２２】
１つ以上のコンピュータ読み取り可能な媒体の任意の組み合わせを利用してもよい。コンピュータ読み取り可能な媒体はコンピュータ読み取り可能な信号媒体またはコンピュータ読み取り可能な記憶媒体であってもよい。コンピュータ読み取り可能な記憶媒体は、例えば、これらに限定されないが、電子、磁気、光学、電磁気、赤外線、または半導体システム、装置、またはデバイス、または前述のものの任意の適切な組み合わせであってもよい。コンピュータ読み取り可能な記憶媒体のより具体的な例（非網羅的リスト）は以下のものを含むであろう：１つ以上のワイヤを有する電気的接続、ポータブルコンピュータディスケット、ハードディスク、ランダムアクセスメモリ（ＲＡＭ）、読み取り専用メモリ（ＲＯＭ）、消去可能プログラマブル読み出し専用メモリ（ＥＰＲＯＭまたはフラッシュメモリ）、光ファイバ、ポータブルコンパクトディスク読み取り専用メモリ（ＣＤ−ＲＯＭ）、光記憶装置、磁気記憶装置、または前述のものの任意の適切な組み合わせ。この文書の文脈では、コンピュータ読み取り可能な記憶媒体は、命令実行システム、装置、またはデバイスにより使用されるまたは関連して使用されるプログラムを含む、または格納することができる任意の有形の媒体であってもよい。
【００２３】
コンピュータ読み取り可能な媒体上に具現化されたプログラムコードおよび／または実行可能な命令は無線、有線、光ファイバケーブル、無線周波数等、または前述の任意の適切な組み合わせを含むがこれらに限定されない、任意の適切な媒体を使用して送信されてもよい。
【００２４】
本発明の態様のための動作を実行するためのコンピュータプログラムコードは、Ｊａｖａ（登録商標）、Ｓｍａｌｌｔａｌｋ、Ｃ＋＋のようなオブジェクト指向プログラミング言語および「Ｃ」プログラミング言語または類似のプログラミング言語のような従来の手続き型プログラミング言語を含む、１つ以上のプログラミング言語の任意の組み合わせで記述されてもよい。プログラムコードは、完全にユーザのコンピュータ（デバイス）上で、部分的にユーザのコンピュータ上で、スタンドアロンソフトウェアパッケージとして、部分的にユーザのコンピュータ上でおよび部分的にリモートコンピュータ上で、または完全にリモートコンピュータまたはサーバ上で実行されてもよい。後者のシナリオでは、リモートコンピュータは、ローカルエリアネットワーク（ＬＡＮ）またはワイドエリアネットワーク（ＷＡＮ）を含む、任意のタイプのネットワークを介してユーザのコンピュータに接続されてもよく、または接続は外部コンピュータに対してされてもよい（例えば、インターネットサービスプロバイダを使用してインターネットを介して）。
【００２５】
本発明の態様は本発明の実施形態による方法、装置（システム）およびコンピュータプログラム製品のフローチャート図解および／またはブロック図を参照して本明細書に記載される。フローチャート図解および／またはブロック図の各ブロック、およびフローチャート図解および／またはブロック図のブロックの組み合わせはコンピュータプログラム命令により実装されることができることが理解されるであろう。これらのコンピュータプログラム命令は、コンピュータまたは他のプログラム可能なデータ処理装置のプロセッサを介して実行される命令がフローチャートおよび／またはブロック図のブロックまたは複数ブロックで指定された機能／行為を実装する手段を作成するように、マシンを生成するための汎用コンピュータ、専用コンピュータ、または他のプログラム可能なデータ処理装置のプロセッサに提供されてもよい。
【００２６】
これらのコンピュータプログラム命令はまた、コンピュータ読み取り可能な媒体に格納された命令がフローチャートおよび／またはブロック図のブロックまたは複数ブロックで指定された機能／動作を実装する命令を含む製造物品を生成するように、コンピュータ、他のプログラム可能なデータ処理装置、または他のデバイスが特定の方法で機能することを指示することができるコンピュータ読み取り可能な媒体に格納されてもよい。
【００２７】
コンピュータプログラム命令はまた、コンピュータまたはその他のプログラム可能な装置上で実行される命令が、フローチャートおよび／またはブロック図のブロックまたは複数ブロックで指定された機能／行為を実装するためのプロセスを提供するように、コンピュータ実装プロセスを生成するためのコンピュータ、他のプログラム可能なデータ処理装置、または他のデバイス上で実行される一連の動作ステップを引き起こさせるためにコンピュータ、他のプログラム可能な装置、または他のデバイスにロードされてもよい。
【００２８】
この記載された説明は最良の様式を含む本発明を開示し、また任意のデバイスまたはシステムを製作しかつ使用しおよび任意の組込み方法を実行することを含む本発明が当業者により実施されることを可能にするために例を使用している。本発明の特許可能な範囲は特許請求の範囲により定義され、当業者が想到するその他の実施例を含んでもよい。このような他の実施例はそれらが特許請求の範囲の字義通りの文言と異ならない構造要素を有する場合、またはそれらが特許請求の範囲の字義通りの文言から実質的ではない相違を有する等価な構造要素を含む場合特許請求の範囲内にあることが意図されている。
【符号の説明】
【００２９】
１００  超音波試験システム
１０２  シングルチャネル超音波試験ユニット
１０４  受信機
１０６  アナログ−デジタルコンバータ
１０８  第２のマイクロプロセッサ
１１０  ユーザインターフェース
１１２  ディスプレイ
２０２  超音波プローブ
２０４  ビーム成形器
２０６  複数の超音波トランスデューサ
２０８  複数の電気パルサ回路
２１０  複数の増幅器
２１２  複数の送信ディレイ
２１４  複数の受信ディレイ
２１６  第１のマイクロプロセッサ
２１８  第１のインターフェース
３００  シングル信号コンジット
３０２  同期コンジット
３０４  通信コンジット
３０６  電力コンジット
３０８  シングルプローブケーブル
４０２  ステップ
４０４  ステップ
４０６  ステップ
４０８  ステップ
４１０  ステップ
４１２  ステップ
【図１】
2015520857.tif 000003
【図２】
2015520857.tif 000004
【国際調査報告】
2015520857.tif 000005
2015520857.tif 000006